(57)【要約】【課題】  運転環境、運転状況の如何に関わらずバランスのとれた運転が可能な電動送風機を提供する。【解決手段】  １はファン、２はファンケース、３は電動機、４は電動機ケース、５は整流板、６は固定子、７は回転子、８は整流子、９はブラシ、１０はファンの取付部、１１、１２はファンの取付部１０を固定するワッシャである。ワッシャ１２には溝が設けられており、該溝に複数の錘（例えば、鉄球）１３が自由に動き回れるように嵌入されている。バランスがとれてない状況に対して逆位相の力を発生させ、自動的にバランス調整をとり、運転中の振動と、異音の発生を抑制し、寿命の低下を防止することができる。【選択図】      図１
2005094983.tif 000002
【特許請求の範囲】
【請求項１】
電動送風機のファンと該ファンを固定するワッシャとの間に、錘を移動可能に配設することにより電動送風機の運転時に発生する振動を低減することを特徴とする電動送風機。
【請求項２】
前記ワッシャに円状の溝を設け、該溝内を前記錘が移動可能に構成したことを特徴とする請求項１に記載の電動送風機。
【請求項３】
前記ファンに円状の溝を設け、該溝内を前記錘が移動可能に構成したことを特徴とする請求項１に記載の電動送風機。
【請求項４】
前記錘を球状に形成したことを特徴とする請求項１に記載の電動送風機。
【請求項５】
前記錘を液体にて構成し、前記ファンとワッシャとの間を水密に密閉したことを特徴とする請求項１に記載の電動送風機。
【発明の詳細な説明】
【技術分野】
【０００１】
本発明は電動送風機に関する。
【背景技術】
【０００２】
電気掃除機等に用いられる電動送風機は、種々の形態のものがあるが、一般的には、図４に示すものが用いられている。図４において、１はファン、２はファンケース、３は電動機、４は電動機ケース、５は整流板、６は固定子、７は回転子、８は整流子、９はブラシ、１０はファンの取付部、１１，１２はファンの取付部１０を固定するワッシャである。
【０００３】
このような構造の電動送風機は空気の吸引力を高めるために高速で回転される。そのため、回転子のバランスとファンのバランスが夫々とれていないと、運転中の振動が大きくなり、異音の発生や寿命の低下の要因となっていた。そこで、図４の電動送風機では、電動機の回転子のコア部を切削したり、ファンのバランスをとることによりバランス調整をしていた。
【０００４】
しかし、回転子もファンも完全にバランスがとれるわけではなく、生産時の調整でも、回転子のバランスがとれていない点と、ファンのバランスがとれていない点とが同じ方向になることがあり、その結果、振動が大きくなるということがあった。
【０００５】
また、別なバランスをとる手段を適用したものとして、図５に示す電動送風機がある。図において、図４と同一物には同じ符号を付している。即ち、１はファン、２はファンケース、３は電動機、４は電動機ケース、５は整流板、６は固定子、７は回転子、８は整流子、９はブラシ、１０はファンの取付部である。更に、回転子７の回転軸２０に、回転子７と逆位相のアンバランスを有する部材２１を装着し、回転子７の初期アンバランス量を低減させるものである（例えば、特許文献１参照）。
【０００６】
【特許文献１】特開平６−３３９２４７号公報
【発明の開示】
【発明が解決しようとする課題】
【０００７】
従来のバランス手法では、電動送風機が電機掃除機本体に組み込まれた場合、掃除機本体の中では、電動送風機に異物が侵入しないようにフィルタが設けられているが、実際の使用上では、微細な粉塵が僅かながらであるが侵入し、ファンにこびり着き、その結果、ファンのバランスが悪くなり、振動が大きくなり、異音の発生や寿命が低下するという問題があった。そこで、本発明は運転環境、運転状況の如何に関わらずバランスのとれた運転が可能な電動送風機を提供することを目的とする。
【課題を解決するための手段】
【０００８】
上記課題を解決するために、本発明の請求項１に係る電動送風機は、電動送風機のファンと該ファンを固定するワッシャとの間に、錘を移動可能に配設することにより電動送風機の運転時に発生する振動を低減するように構成した。
【０００９】
本発明の請求項２に係る電動送風機は、電動送風機のファンと該ファンを固定するワッシャとの間に錘を配設し、前記ワッシャに円状の溝を設け、該溝内を前記錘が移動可能に構成することにより電動送風機の運転時に発生する振動を低減するように構成した。
【００１０】
本発明の請求項３に係る電動送風機は、電動送風機のファンと該ファンを固定するワッシャとの間に錘を配設し、前記ファンに円状の溝を設け、該溝内を前記錘が移動可能に構成することにより電動送風機の運転時に発生する振動を低減するように構成した。
【００１１】
こうして、本発明の電動送風機は、回転子の完全なバランスとファンの完全なバランスが夫々とれていない時でも、ファンと該ファンを固定するワッシャとの間に配設された錘が、前記ワッシャに構成された円状の溝または前記ファンに構成された円状の溝の上を自由に動き回ることにより、バランスがとれないものに対して逆位相の力を発生させ、自動的にバランス調整することができる。
【００１２】
また、電動送風機が電機掃除機本体に組み込まれた場合、微細な粉塵が僅かながらであるが侵入し、ファンにこびり着いて、ファンのバランスが悪くなることがあっても、錘が溝の上を自由に動き回ることにより、自動で逆位相の力を発生させ、その時々において自動的にバランス調整をとり、振動が大きくなったり、異音が発生することを防ぎ、寿命の低下を防止することができる。
【００１３】
本発明の請求項４に係る電動送風機は、電動送風機のファンと該ファンを固定するワッシャとの間に、球状に形成した錘を移動可能に配設することにより電動送風機の運転時に発生する振動を低減するように構成した。
【００１４】
こうして、本発明の電動送風機は、回転子の完全なバランスとファンの完全なバランスが夫々とれていない時でも、ファンと該ファンを固定するワッシャとの間に配設された球状に形成した錘が溝の上を自由に動き回ることにより、バランスがとれないものに対して逆位相の力を発生させ、自動的にバランス調整することができる。
【００１５】
本発明の請求項５に係る電動送風機は、電動送風機のファンと該ファンを固定するワッシャとの間に、液体にて構成した錘を移動可能に配設し、前記ファンとワッシャとの間を水密に密閉したことにより電動送風機の運転時に発生する振動を低減するように構成した。
【００１６】
こうして、本発明の電動送風機は、回転子の完全なバランスとファンの完全なバランスが夫々とれていない時でも、液体にて構成した錘が水密に密閉された溝の上を自由に動き回ることにより、バランスがとれないものに対して逆位相の力を発生させ、自動的にバランス調整することができる。
【発明の効果】
【００１７】
以上のように本発明の電動送風機は、回転子の完全なバランスとファンの完全なバランスが夫々とれていない時でも自動的にバランス調整をとり、運転中の振動と、異音の発生を防止し、寿命の低下を防止することができる。
【００１８】
また、電動送風機が電機掃除機本体に組み込まれた場合、微細な粉塵が僅かながらであるが侵入し、ファンにこびり着いて、ファンのバランスが悪くなることがあっても、振動が大きくなったり、異音が発生することを防ぎ、寿命の低下を防止することができる。
【発明を実施するための最良の形態】
【００１９】
本発明の電動送風機の１つの実施形態について図１〜図３により説明する。図１には本発明の電動送風機の部分断面図を示す。図において、図４と同一物には同じ符号を付している。即ち、１はファン、２はファンケース、３は電動機、４は電動機ケース、５は整流板、６は固定子、７は回転子、８は整流子、９はブラシ、１０はファンの取付部、１１、１２はファンの取付部１０を固定するワッシャである。ワッシャ１２には溝が設けられており、該溝に複数の鉄球１３が自由に動き回れるように嵌入されている。
【００２０】
図２は図１の円内部分Ａの拡大図である。回転子７の回転軸にファン１を、ファンの取付部１０で、その両側からワッシャ１１、１２で挟んで固定するする。ワッシャ１２には溝が設けられ、その中に複数の錘を自由に動き回れるように配置する。錘は周知の種々のものが利用できるが、この例では錘として球状の鉄球１３が自由に動き回れるように嵌入されている。
【００２１】
ワッシャ１２の拡大図を図３に示す。図から明らかなように、ワッシャ１２の外縁には円状の溝１４が形成され、この溝１４の中に鉄球１３を複数個入れ、この鉄球１３が溝１４の上を自由に動き回る形状及び構造とする。円状の溝１４の位置はワッシャ１２の外縁に設けた方が遠心力が大きく作用して好ましいが、その内側であっても良い。
【００２２】
鉄球１３の大きさは約０.１ｇ/ｃｍであることが望ましく、これは直径１〜２ｍｍの鉄球に相当する。また、鉄球１３の数は望ましくは４〜６個であることが実験的に確認できた。
【００２３】
このような構成により、本発明の電動送風機は、回転子の完全なバランスとファンの完全なバランスが夫々とれていない時でも、鉄球１３が溝１４の上を自由に動き回ることにより、バランスがとれないものに対して逆位相の力を発生させ、自動的にバランス調整をとり、運転中の振動と、異音の発生を抑制し、寿命の低下を防止することができる。
【００２４】
上記実施形態では、前記ワッシャに円状の溝を設けたものを例示したが、他にも、前記ファンに円状の溝を設けて、該溝内を錘が移動可能に構成することもできる。また、錘を錘として球状の鉄球１３を例示しているが、他に種々の錘の役目を果たすものを利用できる。
【００２５】
他の錘の例を挙げれば、ファンと該ファンを固定するワッシャとの間に、液体にて構成した錘を移動可能に配設し、前記ファンとワッシャとの間を水密に密閉した構成とすることもできる。そして、回転子の完全なバランスとファンの完全なバランスが夫々とれていない時でも、液体にて構成した錘が水密に密閉された溝の上を自由に動き回ることにより、バランスがとれないものに対して逆位相の力を発生させ、自動的にバランス調整することができる。
【００２６】
こうして、電動送風機が電気掃除機本体に組み込まれた場合、微細な粉塵が僅かながらであるが侵入し、ファンにこびり着いて、ファンのバランスが悪くなることがあっても、錘が溝の上を自由に動き回ることにより、自動的に逆位相の力を発生させ、その時々において自動的にバランス調整をとり、振動が大きくなったり、異音が発生することを防ぎ、寿命の低下を防止することができる。
【産業上の利用可能性】
【００２７】
本発明の電動送風機は電気掃除機に組み込む例を述べたが、掃除機に限ることなく、他の装置に組み込む電動送風機にも適用できるし、ファン以外の負荷を駆動する電動機のバランスとりにも応用できる。
【図面の簡単な説明】
【００２８】
【図１】本発明の電動送風機の部分断面図。
【図２】本発明の電動送風機の部分拡大図。
【図３】本発明に用いるワッシャの拡大図。
【図４】従来の電動送風機の部分断面図。
【図５】従来の他の電動送風機の部分断面図。
【符号の説明】
【００２９】
１            ファン
２            ファンケース
３            電動機
４            電動機ケース
５            整流板
６            固定子
７            回転子
８            整流子
９            ブラシ
１０          ファンの取付部
１１，１２    ワッシャ
１３          錘（鉄球）
１４          溝
２０          回転軸
２１          アンバランス部材
【図１】
2005094983.tif 000003
【図２】
2005094983.tif 000004
【図３】
2005094983.tif 000005
【図４】
2005094983.tif 000006
【図５】
2005094983.tif 000007